(57)【特許請求の範囲】
【請求項１】
移動自在なハウジングに、蒸発器、凝縮器および圧縮機からなる冷凍サイクルと、蒸発器を通過した風を吹出口から吹き出すための送風機と、蒸発器を通過した風を加熱する発熱体と、ハウジングに加わった振動を検出する振動検知器と、振動検知器の検知信号に応じて冷凍サイクルの運転を制御する制御装置とが設けられ、制御装置は、振動が検知されたときからタイムラグ時間だけ経過するまで運転を継続し、タイムラグ時間経過したときに振動を判断して、タイムラグ時間の経過時に、振動が検知されると異常振動と判断して、運転を停止し、振動が検知されていないとき、異常振動でないと判断して、運転を継続するとともに、発熱体が作動しているときのタイムラグ時間が、発熱体が作動していないときのタイムラグ時間以下になるように、タイムラグ時間を変えることを特徴とする空気調節装置。
【請求項２】
移動自在なハウジングに、蒸発器、凝縮器および圧縮機からなる冷凍サイクルと、蒸発器を通過した風を吹出口から吹き出すための送風機と、蒸発器を通過した風を加熱する発熱体と、発熱体近傍の温度を検出する温度検知器と、ハウジングに加わった振動を検出する振動検知器と、振動検知器の検知信号に応じて冷凍サイクルの運転を制御する制御装置とが設けられ、制御装置は、振動が検知されたときからタイムラグ時間だけ経過したときに振動を判断して、タイムラグ時間の経過時に、振動が検知されると異常振動と判断して、運転を停止し、振動が検知されていないとき、異常振動でないと判断して、運転を継続するとともに、検出温度が所定値以上のときのタイムラグ時間が、検出温度が所定値未満のときのタイムラグ時間以下になるように、タイムラグの時間を変えることを特徴とする空気調節装置。
【発明の詳細な説明】
【技術分野】
【０００１】
本発明は、冷凍サイクルの運転によって除湿を行える床置き型の空気調節装置に関する。
【背景技術】
【０００２】
従来、暖房機器は、ヒータや燃焼装置を備えている。地震等によって転倒した場合の安全対策として、特許文献１に記載のように、地震等による振動や衝撃を検知するために、感震器が設けられる。感震器が振動を検知すると、即座に運転が停止される。
【０００３】
一方、床置き型の空気調節装置の１つである除湿機では、一般的にヒータのような発熱体を備えていなかった。しかし、近年、除湿機は、単に室内を除湿するという目的で使用するだけでなく、室内に干された衣類を乾燥するという目的のためにも使用されるようになってきた。そのため、特許文献２に記載のように、除湿機にも発熱体が設けられ、除湿した風を暖めて吹き出すことにより、衣類を素早く乾燥させることができる。
【特許文献１】特開平１１−１７３５６５号公報
【特許文献２】特開２００３−４２５１４号公報
【発明の開示】
【発明が解決しようとする課題】
【０００４】
このように発熱体を備えた除湿機では、感震器が必要となる。ところで、除湿機は床置きされるため、キャスタを備えており、移動可能とされる。移動させたとき、振動が発生するが、この振動が検知されると、運転が停止してしまい、利便性が悪くなる。また、発熱体を作動させないで運転を行う場合もあり、振動が加わったときに即座に停止させる必要性は低い。
【０００５】
本発明は、上記に鑑み、運転状況に応じて振動を判断することにより、安全性と利便性の両立を図った除湿機等の空気調節装置の提供を目的とする。
【課題を解決するための手段】
【０００６】
本発明は、移動自在なハウジングに、蒸発器、凝縮器および圧縮機からなる冷凍サイクルと、室内から吸い込んだ空気を蒸発器を通過させて、室内に吹き出すための送風機と、蒸発器を通過した風を加熱する発熱体と、ハウジングに加わった振動を検出する振動検知器と、振動検知器の検知信号に応じて冷凍サイクルの運転を制御する制御装置とが設けられ、制御装置は、振動が検知されたときからタイムラグ時間だけ経過したときに振動を判断して、判断結果に応じて運転の制御を行うとともに、発熱体の作動状態に応じてタイムラグ時間を変えるものである。なお、除湿機において、蒸発器を通過して除湿された風を吹き出す衣類乾燥運転時に、発熱体が作動する。
【０００７】
そして、制御装置は、タイムラグ時間の経過時に、振動を検知しているとき、運転を停止し、振動を検知していないとき、運転を継続する。
【０００８】
ハウジングは移動自在であるので、地震等の振動だけでなく、移動させたときにも振動が発生する。そこで、振動を検知したとき、すぐに振動の程度を判断するのではなく、振動を判断して、判断結果に応じた制御を開始するのにタイムラグを設けることにより、軽微な振動の影響をなくすことができる。すなわち、ハウジングを移動させたときの振動のような軽微な振動では、タイムラグ時間だけ経過すれば、振動が収まる。そのため、そのまま運転を継続することができ、利便性は損なわれない。地震や転倒による異常振動の場合、タイムラグ時間が経過しても、振動は検知されるので、運転停止等の必要な制御を行うことにより、安全性を確保できる。
【０００９】
ところで、発熱体が作動しているとき、異常振動が発生すれば、すぐに運転を停止しなければならない。そこで、発熱体の作動状態に応じてタイムラグ時間を変える。発熱体が作動しているときのタイムラグ時間は、発熱体が作動していないときのタイムラグ時間以下とされる。
【００１０】
これによって、発熱体が作動しているとき、振動の程度を早く判断できる。異常振動であれば、すばやく運転が停止され、発熱体の作動も停止される。また、発熱体が作動していないとき、過熱は起こらないので、振動の程度を判断するのに時間的な余裕を持たせることができる。したがって、運転を停止させるには及ばないような振動を正確に判断でき、不要な運転停止をなくし、安全性と利便性とを両立できる。
【００１１】
また、発熱体近傍の温度を検出する温度検知器を設け、制御装置は、検出温度に応じてタイムラグの時間を変える。検出温度が所定値以上のときのタイムラグ時間は、検出温度が所定値未満のときのタイムラグ時間以下とされる。
【００１２】
温度検知器による検出温度は、発熱体の作動状態と関連する。発熱体が作動しているとき、検出温度は高く、作動していないとき、検出温度は低い。したがって、検出温度によって、発熱体の作動状態を認識できる。
【発明の効果】
【００１３】
本発明によると、ハウジングの移動によって振動した場合には、運転が停止することなく、そのまま運転が継続され、ユーザに不便をかけることを防止できる。そして、発熱体が作動していると、地震等による異常振動の場合には、すばやく運転が停止され、安全を確立できる。したがって、不要な運転の停止をなくせるとともに、異常時には必要な対処をすばやく行え、安全性と利便性との両立を図れる。
【発明を実施するための最良の形態】
【００１４】
本実施形態の除湿機を図１に示す。除湿機の合成樹脂製ハウジング１は、縦長タイプで前後方向の奥行きが小さい構造とされる。ハウジング１内には、蒸発器２、凝縮器３、圧縮機４がそれぞれ設けられ、これらによって冷凍サイクルが構成される。ハウジング１の内部は、上下に仕切られ、上側に蒸発器２および凝縮器３が配され、下側に圧縮機４が配される。蒸発器２の下方には、ドレンタンク５が配される。ドレンタンク５は、ハウジング１の側面の下部から出し入れ可能とされる。
【００１５】
ハウジング１の前面の上部に第１吹出口６、背面の中央部に吸込口７、その上方に第２吹出口８がそれぞれ形成される。ハウジング１の上面には、操作部と持ち運び用の把手とが設けられ、下面の４隅にはキャスタ９が取り付けられ、容易に移動可能とされる。
【００１６】
ハウジング１の内部には、吸込口７から蒸発器２を通って第１吹出口６に至る冷風路１０と、吸込口７から凝縮器３を通って第２吹出口８に至る温風路１１とが形成される。冷風路１０では、蒸発器２の下流側に第１送風機１２が配される。温風路１１では、凝縮器３の下流側に第２送風機１３が配される。
【００１７】
冷風路１０中に、正イオンおよび負イオンを発生するイオン発生装置１５が設けられ、冷風とともに正イオンおよび負イオンが室内に放出される。イオン発生装置１５は、第１送風機１２の下流側に配される。また、冷風路１０中に、発熱体としてヒータ１６が設けられる。ヒータ１６は、第１送風機１２の下流側に配され、蒸発器２を通過した風を温める。第１吹出口６にはルーバが設けられている。ルーバは、モータによって上下方向に回動される。このルーバと一体的に縦ルーバが設けられる。縦ルーバは、別のモータによって左右方向に回動される。
【００１８】
温風路１１は、途中で分岐して、冷風路１０に接続される。分岐点は、第２送風機１３の下流側に位置し、分岐点に、風の流れ方向を切り替えるダンパ１７が設けられる。ダンパ１７が回動することにより、温風路１１は、冷風路１０に対して独立した状態と、冷風路１０に接続された状態とに切り替えられる。したがって、送風切替の操作によって、温風が第２吹出口８に向かう風の流れと、温風と冷風とを混合して第１吹出口６に向かう風の流れとが選択できる。なお、ダンパ１７の回動は、レバー操作によって行われる。あるいはモータによってダンパ１７を回動させてもよい。また、ダンパ１７の代わりに、切替バルブを用いて、送風切替を行ってもよい。
【００１９】
そして、冷凍サイクルの運転を制御する制御装置２０が設けられる。図２に示すように、マイクロコンピュータからなる制御装置２０には、室内の湿度を検出する湿度検知器２１、室温を検出する温度検知器２２、蒸発器２の温度を検出する蒸発器温度検知器２３、ヒータ１６の近傍の温度を検出するヒータ温度検知器２４、ドレンタンク５の満水を検出する満水検知装置２５、ハウジング１に加わった振動を検出する振動検知器２６がそれぞれ接続される。また、各送風機１２、１３のモータを駆動するためのモータ駆動回路２７、圧縮機４を駆動するための圧縮機駆動回路２８、ヒータ１６に通電するためのヒータ駆動回路２９、イオン発生装置１５に高電圧を印加するための高圧ユニット駆動回路３０、ルーバのモータを駆動するためのルーバ駆動回路３１がそれぞれ接続される。
【００２０】
湿度検知器２１および温度検知器２２は、吸込口７の近傍に配され、室内から吸い込んだ空気の温度や湿度を検出する。蒸発器温度検知器２３は、蒸発器２の表面温度を検出する。ヒータ温度検知器２４は、ヒータ１６よりも下流側で第１吹出口６の近傍に配される。ヒータ温度検知器２４がヒータ１６を通過した風の温度を検出することにより、ヒータ１６の近傍の温度が間接的に検出される。
【００２１】
満水検知装置２５は、ドレンタンク５の水位に応じて上下するフロート３２と、フロート３２と一体的に設けられた磁石３３と、磁気を検出するホールセンサ等の磁気センサ３４とからなる。フロート３２と磁石３３はドレンタンク５内に配され、磁石３３は支軸を挟んでフロート３２に対向して設けられ、両者はシーソーのように動く。磁気センサ３４は、ドレンタンク５の上方に設けられ、磁石３３と対向するように配される。ドレンタンク５が満水になると、磁石３３が磁気センサ３４から離れ、磁気センサ３４がオフ信号を出力することにより、満水が検知される。また、ドレンタンク５がハウジング１から取り出されたとき、磁石３３は磁気センサ３４から離れ、ドレンタンク５がハウジング１に装着されると、磁石３３は磁気センサ３４に近接する。これにより、ドレンタンク５の有無を検知することができる。すなわち、満水検知装置２５は、ドレンタンク５の有無を検出するドレンタンク検知器を兼用している。
【００２２】
振動検知器２６は、球および球の動きに応じてオンオフするスイッチからなる一般的な感震器とされる。振動検知器２６は、ハウジング１内の上部に配される。
【００２３】
そして、制御装置２０は、選択された運転モードにしたがって、これらの検知器から入力された情報に基づき各駆動回路を駆動制御する。運転モードとして、冷風運転、衣類乾燥運転、衣類乾燥（速乾）運転、自動除湿運転、連続運転、送風運転が選択可能とされる。運転モードの選択は、操作部の運転切替ボタンを操作することにより行われる。
【００２４】
また、送風切替の操作により、クールモードとドライモードとが選択できる。クールモードでは、温風路１１と冷風路１０とはそれぞれ独立しており、第１吹出口６から冷風が吹き出され、第２吹出口８から温風が吹き出される。ドライモードでは、温風路１１が冷風路１０に連通して、第１吹出口６から冷風と温風とが同時に吹き出され、第２吹出口８からわずかに温風が吹き出される。なお、モータによってダンパ１７を回動させる場合、運転モードに応じてクールモードあるいはドライモードを自動的に切り替えることができる。
【００２５】
冷風運転では、クールモードを選択する。第１送風機１２により、室内の空気が吸込口７からフィルタを通して吸い込まれる。冷風路１０を流れる空気は、蒸発器２を通過するときに冷却され、冷風となる。このとき、空気中の水分が蒸発器２の表面に結露して、冷風は除湿される。結露した水分は、ドレンタンク５に集められる。除湿されて乾燥した冷風は、第１吹出口６から吹き出される。また、第２送風機１３により、室内の空気が吸込口７からフィルタを通して吸い込まれる。温風路１１を流れる風は、凝縮器３で加熱されて温風となって、第２吹出口８から吹き出される。このとき、設定された風量にしたがって、各送風機１２、１３が駆動される。
【００２６】
衣類乾燥運転では、ドライモードを選択する。吸込口７から吸い込まれた室内の空気は、蒸発器２により除湿され、冷風となる。凝縮器３によって温められた空気は、温風路１１から冷風路１０に流れる。第１吹出口６から乾燥した冷風と温風とが混合されて吹き出される。このとき、設定された風量にしたがって、各送風機１２、１３が駆動される。
【００２７】
衣類乾燥（速乾）運転では、ドライモードを選択して、ヒータ１６を作動させる。風の流れは衣類乾燥運転時と同じである。ヒータ１６の作動により、冷風が温められ、温風と混合されて、より高温になった風が第１吹出口６から吹き出される。このとき、設定された風量にしたがって、各送風機１２、１３が駆動される。
【００２８】
自動除湿運転では、ドライモードを選択する。風の流れは衣類乾燥運転時と同じである。このとき、設定された風量にしたがって、各送風機１２、１３が駆動される。また、室温および室内の湿度に応じて、冷凍サイクルの運転が制御され、除湿運転と送風運転とが切り替えられる。すなわち、湿度が規定値以上のときは、除湿運転が行われ、規定値未満になると、冷凍サイクルの運転が停止されて、送風運転が行われる。この規定値は、室温によって異なり、室温が標準温度以下のとき、規定値は標準湿度に設定され、室温が標準温度より高いとき、規定値は標準湿度より低い湿度、例えば５５％に設定される。なお、標準温度は、２７℃あるいは２８℃とされる。標準湿度は、６０％とされる。
【００２９】
また、自動除湿運転では、室温が標準温度よりも低いとき、風量が増大するように各送風機１２、１３が駆動される。すなわち、低温、例えば１５℃以下になったとき、自動的に風量が増える。これにより、低温時の除湿能力が高まる。
【００３０】
連続運転では、クールモードかドライモードのいずれかを選択する。湿度に関係なく連続した除湿運転が行われる。このとき、設定された風量にしたがって、各送風機１２、１３が駆動される。
【００３１】
送風運転では、クールモードかドライモードのいずれかを選択する。冷凍サイクルの運転は行われず、各送風機１２、１３だけが駆動される。
【００３２】
制御装置２０は、イオン発生装置１５を駆動して、正イオンおよび負イオンを発生させて、室内に放出するイオン運転を行う。イオン運転は、上記の各運転に対して任意で行われる。すなわち、イオン運転ボタンが操作されたときに、イオン運転が行われる。
【００３３】
イオン発生装置１５は、イオン発生素子と、これに高電圧を印加する高圧ユニット駆動回路３０とを有する。制御装置２０が高圧ユニット駆動回路３０を駆動すると、イオン発生素子に高電圧が印加され、イオン発生素子から正イオンおよび負イオンが発生する。正イオンおよび負イオンは、冷風路１０を流れる風によって第１吹出口６から吹き出される。
【００３４】
衣類乾燥運転、衣類乾燥（速乾）運転、自動除湿運転のときにイオン運転を行う場合、湿度に応じてイオン運転が制御される。湿度が上記の規定値より高い第２規定値、例えば７０％以上のとき、標準のイオン運転時よりもイオンの発生量が増えるように高濃度運転が行われる。高濃度運転では、イオン発生素子に印加する高圧パルス電圧の印加回数を多くすることにより、放電回数を増やして、イオンを多く発生させる。湿度が第２規定値未満のとき、標準のイオン運転が行われる。なお、標準のイオン運転では、正イオンおよび負イオンの発生量は約１５万個／ｃｃとされ、高濃度運転では、発生量は４０万〜５０万個／ｃｃとされる。
【００３５】
連続運転のときにイオン運転を行う場合、標準のイオン運転が行われる。さらに、衣類乾燥運転、衣類乾燥（速乾）運転のときにイオン運転を行う場合、運転開始後、一定時間、例えば１５分間は湿度に関係なく高濃度運転が行われる。高濃度運転によって、カビ菌等の室内に浮遊している菌に対して、すばやく除菌できる。
【００３６】
また、冷凍サイクルの運転において、制御装置２０は、室温に応じて圧縮機４の駆動を制御する。室温が第１温度未満、例えば約５℃未満になると、圧縮機４が停止され、除湿した水の凍結を防止する。室温が第２温度以上、例えば約４０℃以上になると、冷凍サイクルの運転が停止され、装置に無理がかからないようにして、装置を保護する。室温が第３温度以上、例えば約３５℃以上のとき、圧縮機４を駆動したまま、送風機１２、１３が高回転され、圧縮機４の温度を下げるようにする。
【００３７】
さらに、制御装置２０は、除霜運転も行う。除霜運転は、室温が設定温度以下、例えば１９℃以下になると行われる。また、蒸発器２の表面温度が所定温度以下、例えば０℃以下になったときにも、除霜運転が行われる。除霜運転では、圧縮機４が停止され、各送風機１２、１３が駆動される。このとき、各送風機１２、１３は除湿運転時よりも高回転とされ、風量が上がる。また、ルーバは上方向に回動され、吹き出す風が上向きとなる。
【００３８】
冷凍サイクルの運転中、室内の空気が除湿されて、ドレンタンク５に水が溜まっていく。ドレンタンク５の水位が所定水位になると、制御装置２０は、満水検知装置２５からの出力信号によって満水を検知する。すなわち、水位の上昇に伴って、フロート３２が上がると、磁石３３が下がる。満水になると、磁気センサ３４は磁石３３の磁気を検出できなくなり、磁気センサ３４はオフ信号を出力する。
【００３９】
制御装置２０は、満水になったことを検知すると、冷凍サイクルの運転を停止するとともに、各送風機１２、１３の駆動を停止する満水停止を実行する。ドレンタンク５がハウジング１から取り出された後、空になったドレンタンク５が装着されると、満水検知装置２５の磁気センサ３４は、ドレンタンク５内の磁石３３の磁気を検出する。磁気センサ３４がオン信号を出力すると、制御装置２０は、ドレンタンク５が装着されたことを検知して、運転待機状態となる。なお、排水後のドレンタンク５が装着されたとき、満水停止前の運転を自動的に再開するような制御を行ってもよい。
【００４０】
また、ハウジング１に振動が加わったり、ハウジング１が転倒したとき、振動検知器２６は、この動きを検出して、オン信号を出力する。制御装置２０は、振動検知器２６の出力に基づいて振動の程度を判断する。軽微な振動の場合、振動検知器２６からの出力は、一瞬のオン信号であったり、短時間のオン信号である。一方、強い振動や転倒の場合、振動検知器２６からの出力は、連続したオン信号、あるいは長時間のオン信号である。制御装置２０は、所定時間経過したとき、オン信号が入力されていると、異常な振動であると判断し、所定時間経過したとき、オン信号が入力されていないと、軽微な振動であるから異常ではないと判断する。このように、最初に振動が検知されたときから制御を開始するまでの間に所定時間のタイムラグが設けられる。このタイムラグ時間は、振動検知器２６からのオン信号が入力された時点から判断する時点までの時間である。
【００４１】
そして、制御装置２０は、異常振動であると判断したとき、即座に全ての運転を停止して、電源をオフする異常停止を実行する。このとき、制御装置２０も動作を停止する。異常停止の復帰には、運転ボタンを２回操作するといった特殊操作を要する。特殊操作が行われると、電源がオンし、制御装置２０が立ち上がって、運転の制御が行われる。
【００４２】
異常停止後、すぐに運転を開始するとき、振動検知器２６自身が揺れていて、オン信号を出力する場合がある。この場合に特殊操作が行われたとき、制御装置２０は、振動検知器２６からの入力を一定時間受け付けない。一定時間の間に、振動検知器２６がオン信号を出力しても、制御装置２０は、この信号を無視し、異常停止を行わない。一定時間経過すると、運転が開始される。したがって、異常停止が繰り返されず、すぐに運転を開始することができる。
【００４３】
ところで、振動が発生してから異常停止等の制御が開始されるまでにタイムラグがある。衣類乾燥（速乾）運転では、ヒータ１６が作動しており、異常振動の場合には、早く異常停止させるのが望ましい。そこで、ヒータ１６の作動状態に応じてタイムラグ時間を変える。ヒータ１６が作動しているときのタイムラグ時間ｘは、ヒータ１６が作動していないときのタイムラグ時間ｙ以下（ｘ≦ｙ）とされる。
【００４４】
図３に示すように、冷凍サイクルの運転による除湿運転中、制御装置２０は、振動を検知したとき、ヒータ１６の作動状態を確認する。ヒータ１６の作動状態の確認は、ヒータ１６への通電の有無によって行われる。
【００４５】
衣類乾燥（速乾）運転のとき、ヒータ１６は作動している。制御装置２０は、ヒータ１６が作動していることを確認すると、タイムラグ時間をｘに設定する。ｘは、例えば２、３秒とされる。そのタイムラグ時間ｘが経過するまでは、制御装置２０は、異常振動の判断を行わず、除湿運転が継続される。タイムラグ時間ｘが経過したとき、制御装置２０は、振動検知器２６からのオン信号を検出すると、異常振動であると判断して、すぐに異常停止を行う。タイムラグ時間ｘが経過したとき、振動検知器２６からのオン信号を検出していないと、異常振動ではないと判断する。除湿運転はそのまま継続される。
【００４６】
衣類乾燥（速乾）運転以外の運転のとき、ヒータ１６は作動していない。制御装置２０は、ヒータ１６が作動していないことを確認すると、タイムラグ時間をｙに設定する。ｙは、３〜５秒とされる。以降の動作は、上記と同様である。
【００４７】
このように、ヒータ１６が作動しているとき、異常振動が発生すれば、すばやく運転が停止される。また、ハウジング１を移動させたとき、あるいはドレンタンク５を着脱したとき、ハウジング１に振動が加わる。この振動は軽微な振動であるので、タイムラグ時間の間に振動が収まり、運転は停止されない。したがって、軽微な振動が発生したときに、不必要な運転の停止が起こらず、利便性は損なわれない。転倒したときや傾いた状態になったままのとき、すばやく運転が停止される。吸込口７が塞がれて、ハウジング内が過熱するような状態になっても、この過熱を回避でき、安全性を確保できる。
【００４８】
また、ヒータ温度検知器２４の出力に応じてタイムラグ時間を変えてもよい。ヒータ温度検知器２４は、ヒータ１６を通過してきた風の温度を検出する。そのため、ヒータ１６の作動状態を反映した出力が得られる。
【００４９】
制御装置２０は、ヒータ温度検知器２４が検出した温度が所定温度以上、例えば５０℃以上のとき、ヒータ１６が作動していると判断する。検出温度が所定温度未満のとき、ヒータ１６は作動していないと判断する。そして、ヒータ１６が作動しているときのタイムラグ時間ｘ１は、ヒータ１６が作動していないときのタイムラグ時間ｙ１以下（ｘ１≦ｙ１）とされる。
【００５０】
図４に示すように、冷凍サイクルの運転による除湿運転中、制御装置２０は、振動を検知したとき、ヒータ１６が作動していることを確認すると、タイムラグ時間をｘ１に設定する。ｘ１は、例えば２、３秒とされる。ヒータ１６が作動していないことを確認すると、タイムラグ時間をｙ１に設定する。ｙ１は、３〜５秒とされる。以降の動作は、上記と同様である。
【００５１】
ヒータ温度検知器２４によって、ハウジング１から出て行く風の温度を検出できる。吸込口７のフィルタが目詰まりしていて、空気の吸込量が減少すると、通常の運転時よりもハウジング１内の温度が高くなる。このような場合、ヒータ１６が作動していなくても、ヒータ温度検知器２４が所定温度以上を検出することがある。すると、タイムラグ時間が短く設定される。したがって、ハウジング１内部が高温になっているとき、異常振動が発生すると、すばやく運転が停止され、これ以上高温になることを防止できる。
【００５２】
運転ボタンの操作により冷風運転、衣類乾燥運転、衣類乾燥（速乾）運転、自動除湿運転、連続運転のいずれかの除湿運転が停止された後、再運転を行うとき、制御装置２０は、圧縮機４の駆動を規制する。すなわち、除湿運転の停止後、再運転のために運転ボタンが操作されたとき、一定時間、例えば３分間だけ圧縮機４を駆動せず、送風機１２、１３だけを駆動する。一定時間経過すると、圧縮機４が駆動され、冷凍サイクルの運転が開始される。また、電源プラグを差し込んだ直後に、運転ボタンを操作したときにも、同様の制御が行われる。これによって、圧縮機４に負荷がかからず、装置の保護を図れる。
【００５３】
ここで、衣類乾燥（速乾）運転では、ヒータ１６が作動する。冷凍サイクルの運転が停止しているときにヒータ１６が作動すると、室内の空気が加熱され、高温の風が第１吹出口６から吹き出される。そこで、制御装置２０は、冷凍サイクルの運転に応じてヒータ１６の作動を制御する。冷凍サイクルの運転を開始するとき、まず圧縮機４を駆動して、その後ヒータ１６を作動する。すなわち、圧縮機４が駆動されるまで、ヒータ１６の作動は禁止される。冷凍サイクルの運転を停止するとき、まずヒータ１６の作動を停止して、その後圧縮機４を停止する。
【００５４】
このように、圧縮機４が駆動しているときにのみ、ヒータ１６は作動可能とされる。圧縮機４の駆動により冷風が発生するので、ヒータ１６は冷風を加熱することになる。したがって、高温の風が吹き出すことを防止できる。
【００５５】
なお、本発明は、上記実施形態に限定されるものではなく、本発明の範囲内で上記実施形態に多くの修正および変更を加え得ることは勿論である。空気調節装置として、除湿機以外に、移動自在な床置き型であればよく、一体型空気調和機、クーラ、冷風機があげられる。
【図面の簡単な説明】
【００５６】
【図１】本発明の除湿機の概略構成を示す図
【図２】除湿機の制御ブロック図
【図３】除湿運転中に振動を検知したときの運転制御のフローチャート
【図４】除湿運転中に振動を検知したときの運転制御のフローチャート
【符号の説明】
【００５７】
１    ハウジング
２    蒸発器
３    凝縮器
４    圧縮機
５    ドレンタンク
６    第１吹出口
７    吸込口
８    第２吹出口
１２    第１送風機
１３    第２送風機
１５    イオン発生装置
１６    ヒータ
２０    制御装置
２４    ヒータ温度検知器
２５    満水検知装置
２６    振動検知器
【図１】
0004704934.tif 000002
【図２】
0004704934.tif 000003
【図３】
0004704934.tif 000004
【図４】
0004704934.tif 000005